(57)【要約】【課題】リールブレーキが破損したとしてもデータを確実に読み出し得る情報記録媒体を提供する。【解決手段】磁気テープＴを巻回するテープリール２，２と、テープリール２，２を回転可能に収容するケース本体３と、ケース本体３に回動可能に取り付けられて磁気テープＴを引き出すためのテープ引き出し口を開閉するフロントカバー７と、テープリール２，２に対して接離する方向に沿ってスライド可能にケース本体３に配設されると共にフロントカバー７の回動に伴ってスライドしてテープリール２，２の回転規制および回転規制の解除を行うリールブレーキ４と、リールブレーキ４を付勢するブレーキスプリング８ｂとを備え、ブレーキスプリング８ｂは、テープリール２，２から離間する方向にリールブレーキ４を付勢する。【選択図】図１
2006331465.tif 000002
【特許請求の範囲】
【請求項１】
磁気テープを巻回するテープリールと、当該テープリールを回転可能に収容するケース本体と、当該ケース本体に回動可能に取り付けられて前記磁気テープを引き出すためのテープ引き出し口を開閉するフロントカバーと、前記テープリールに対して接離する方向に沿ってスライド可能に前記ケース本体に配設されると共に前記フロントカバーの回動に伴ってスライドして当該テープリールの回転規制および当該回転規制の解除を行うリールブレーキと、当該リールブレーキを付勢する第１付勢部材とを備え、
前記第１付勢部材は、前記テープリールから離間する方向に前記リールブレーキを付勢する情報記録媒体。
【請求項２】
前記第１付勢部材の付勢力に抗して前記テープ引き出し口を閉塞する方向に前記フロントカバーを付勢する第２付勢部材を備え、
前記フロントカバーは、前記テープ引き出し口を閉塞した状態において前記第２付勢部材の付勢力によって前記リールブレーキを前記テープリールに近接させた状態に保持する請求項１記載の情報記録媒体。
【発明の詳細な説明】
【技術分野】
【０００１】
本発明は、テープリールの回転規制および回転規制の解除を行うリールブレーキと、リールブレーキを付勢する付勢部材とを備えた情報記録媒体に関するものである。
【背景技術】
【０００２】
この種の情報記録媒体として、特開平９−１７１５１号公報に開示されたテープカートリッジが知られている。このテープカートリッジは、上ハーフおよび下ハーフで構成されたカートリッジ本体と、カートリッジ本体の内部に回転自在に収納されたテープリールと、カートリッジ本体の前方部に回動自在に支持されて上ハーフおよび下ハーフの前面部を閉塞するリッドと、上ハーフの内部において前後方向に移動自在に収納されると共にリッドの回動に伴って移動させられてテープリールをロックするリールロック部材とを備えて構成されている。この場合、リッドが上ハーフおよび下ハーフの前面部を閉塞した状態において、下ハーフに取り付けられたトーションスプリングの弾性力によってリールロック部材のロック片がテープリールに係合させられて、テープリールがロック状態となる。一方、テープカートリッジが記録再生装置に装填されて記録再生装置によってリッドが回動させられたときには、リッドの回動に伴ってリールロック部材がトーションスプリングの弾性力に抗して前方側へ移動させられることにより、リールロック部材のロック片がテープリールから離間して、テープリールのロック状態が解除される。
【特許文献１】特開平９−１７１５１号公報（第５−７頁、第１−５図）
【発明の開示】
【発明が解決しようとする課題】
【０００３】
ところが、上記のテープカートリッジには、以下の問題点がある。すなわち、このテープカートリッジでは、トーションスプリングの弾性力によってリールロック部材がテープリールに近接する方向に常時付勢されている。このため、テープリールのロック状態を解除する際には、トーションスプリングの弾性力に抗してリールロック部材の係合片を前方側へ移動させることにより、リールロック部材のロック片をテープリールから離間させる必要がある。この場合、例えば、リールロック部材の係合片が破損したときには、テープリールからリールロック部材を離間させることができなくなるおそれがある。したがって、重要なデータが記録されているテープカートリッジにこのような破損が生じたときには、テープリールのロック状態を解除できなくなる結果、重要なデータの読み出しが不可能となるという深刻な事態を招くおそれがある。
【０００４】
本発明は、かかる問題点に鑑みてなされたものであり、リールブレーキが破損したとしてもデータを確実に読み出し得る情報記録媒体を提供することを主目的とする。
【課題を解決するための手段】
【０００５】
上記目的を達成すべく本発明に係る情報記録媒体は、磁気テープを巻回するテープリールと、当該テープリールを回転可能に収容するケース本体と、当該ケース本体に回動可能に取り付けられて前記磁気テープを引き出すためのテープ引き出し口を開閉するフロントカバーと、前記テープリールに対して接離する方向に沿ってスライド可能に前記ケース本体に配設されると共に前記フロントカバーの回動に伴ってスライドして当該テープリールの回転規制および当該回転規制の解除を行うリールブレーキと、当該リールブレーキを付勢する第１付勢部材とを備え、前記第１付勢部材は、前記テープリールから離間する方向に前記リールブレーキを付勢する。
【０００６】
この場合、前記第１付勢部材の付勢力に抗して前記テープ引き出し口を閉塞する方向に前記フロントカバーを付勢する第２付勢部材を備え、前記フロントカバーが、前記テープ引き出し口を閉塞した状態において前記第２付勢部材の付勢力によって前記リールブレーキを前記テープリールに近接させた状態に保持する構成を採用することができる。
【発明の効果】
【０００７】
本発明に係る情報記録媒体によれば、テープリールから離間する方向にリールブレーキを付勢する第１付勢部材を備えたことにより、例えば、フロントカバーに係合するリールブレーキの腕部が破損していたとしても、フロントカバーがテープ引き出し口を開放する方向にドライブ装置によって回動させられたときに、リールブレーキが第１付勢部材の付勢力によってテープリールから確実に離間して、テープリールの回転規制を確実に解除させることができる。したがって、この情報記録媒体によれば、例えば、重要なデータが記録された状態でリールブレーキの腕部が破損していたとしても、その重要なデータを確実に読み出すことができる。
【０００８】
また、本発明に係る情報記録媒体によれば、第１付勢部材の付勢力に抗してテープ引き出し口を閉塞する方向にフロントカバーを付勢する第２付勢部材を備えたことにより、情報記録媒体の非使用状態において、フロントカバーによってテープ引き出し口を確実に閉塞させることができる。また、この状態において、第２付勢部材の付勢力によってリールブレーキをテープリールに近接させてリールブレーキとテープリールとが係合する状態にリールブレーキを確実に保持することができるため、テープリールの回転を確実に規制することができる。
【発明を実施するための最良の形態】
【０００９】
以下、本発明に係る情報記録媒体の最良の形態について、添付図面を参照して説明する。
【００１０】
最初に、情報記録媒体１の構成について、図面を参照して説明する。
【００１１】
図１に示す情報記録媒体１は、例えば、電子計算機に記録されたデータをバックアップするためのストレージデバイスとして用いられる２リールタイプのカートリッジ式の情報記録媒体であって、同図に示すように、磁気テープＴが巻回されたテープリール２，２、ケース本体３、リールブレーキ４、シート５，５、スライド部６およびフロントカバー７を備えて構成されている。
【００１２】
テープリール２は、図１，２に示すように、磁気テープＴを巻回可能に構成されて、ケース本体３の内部に収容されている。この場合、テープリール２の一端部（図１における上端部）には、リールブレーキ４の突起部４１ａが係合することによって回転が禁止される歯部２ａが形成されている。ここで、テープリール２に巻回される磁気テープＴの両端部には、透明または半透明のリーダーテープ（図示せず）がそれぞれ取り付けられており、各リーダーテープの端部が各テープリール２，２にそれぞれ固定されている。
【００１３】
ケース本体３は、図１に示すように、互いに嵌合可能な下ケース１１および上ケース１２を備えて構成されて、両ケース１１，１２の嵌合状態において形成される内部空間にテープリール２，２を回転可能に収容する。下ケース１１は、図３に示すように、底板２１および側壁２２ａ〜２２ｆを備えて、全体として、浅皿状に形成されている。底板２１は、情報記録媒体１をドライブ装置に挿入する際の前面側（同図における下側）の中央部に切り欠き部２１ａが形成されて構成されている。この場合、この切り欠き部２１ａおよび後述する上ケース１２の開口部１２ａによって磁気テープＴを引き出すためのテープ引き出し口が構成される。また、底板２１には、ドライブ装置の駆動軸を挿通させるための円形の挿通孔２１ｂ，２１ｂが形成されている。また、底板２１の切り欠き部２１ａ側には、スライド部６をスライド不可状態にロックするためのアーム状のロック部２１ｃ，２１ｃが形成されている。この場合、ロック部２１ｃは、図１に示すロックスプリング８ａによってその先端部がスライド部６側に向けて押圧される。側壁２２ａ〜２２ｆは、底板２１の縁部にそれぞれ立設されている。この場合、側壁２２ｄ，２２ｅには、図１０に示すように、ドライブ装置の検出部から照射される磁気テープＴのテープエンド検出用の検出光をケース本体３の内部に入射させる矩形の窓部２３がそれぞれ形成されている。また、側壁２２ｆには、図８に示すように、トーションスプリング８ｂを支持する円柱状の支持部２４が形成されている。ここで、トーションスプリング８ｂは、本発明における第１付勢部材の一例であって、同図に示すように、コイル部８１に支持部２４が挿入されると共に、一端部８２が側壁２２ｆに係合し、かつ他端部８３がリールブレーキ４の係合部４１ｂに係合することにより、テープリール２から離間する方向（同図に示す矢印Ａの方向）にリールブレーキ４を付勢する。
【００１４】
上ケース１２は、図４に示すように、天板３１、側壁３２ａ〜３２ｅを備えて、ドライブ装置に挿入する際の前面側（同図では下側）に開口部１２ａを有する浅皿状に形成されている。天板３１は、全体として矩形に形成されている。また、天板３１の中央部には、矩形の天窓３１ａが形成され、この天窓３１ａには、透明な（またはほぼ透明な）カバー３３が取り付けられている。側壁３２ａ〜３２ｅは、天板３１の縁部にそれぞれ立設されている。この場合、側壁３２ｄ，３２ｅには、図１０に示すように、下ケース１１の窓部２３から入射して図外のプリズムによって光路をＵ字状に変更させられた検出光をケース本体３の外部に出射させる矩形の窓部３４がそれぞれ形成されている。
【００１５】
リールブレーキ４は、図５に示すように、本体部４１および腕部４２，４２を備えて構成されている。本体部４１は、テープリール２，２に対して接離する方向に沿ってスライド可能にケース本体３の内部に配設されている。また、本体部４１には、２つの突起部４１ａ，４１ａが形成されている。また、本体部４１は、図８に示すように、中央部に形成された係合部４１ｂにトーションスプリング８ｂの一端部が係合することにより、トーションスプリング８ｂによってテープリール２，２から離間する方向（同図に示す矢印Ａの方向）に付勢されている。腕部４２，４２は、図５に示すように、本体部４１の両端部にそれぞれ突出形成されている。この場合、腕部４２，４２は、図９に示すように、その先端部がフロントカバー７の突起部７２ａに係合可能に構成されて、フロントカバー７が上ケース１２の開口部１２ａを閉塞している状態において、フロントカバー７によって同図に示す矢印Ｃの方向に押圧される。また、リールブレーキ４は、同図に示すように、本体部４１がテープリール２，２に近接したときに、本体部４１の突起部４１ａ，４１ａがテープリール２，２の歯部２ａにそれぞれ係合することにより、テープリール２，２の回転を規制する。また、リールブレーキ４は、図１０に示すように、本体部４１がテープリール２，２から離間したときに、テープリール２，２の歯部２ａに対する突起部４１ａ，４１ａの係合が解除されることにより、テープリール２，２の回転規制を解除する。
【００１６】
シート５，５は、例えば、樹脂材料によって成形されたシートであって、図１に示すように、下ケース１１とテープリール２との間、およびテープリール２と上ケース１２との間にそれぞれ配設されている。このシート５は、テープリール２を円滑に回転動作させると共に、磁気テープＴの幅方向への移動を防止することによって磁気テープＴをテープリール２に整然と巻き取らせる機能を有している。
【００１７】
スライド部６は、図６に示すように、本体部６１および側壁６２，６２を備えて構成されている。本体部６１は、矩形の板状に形成されている。また、本体部６１には、ドライブ装置の駆動軸を挿通させるための円形の挿通孔６１ａ，６１ａが形成されている。また、本体部６１には、下ケース１１におけるロック部２１ｃの先端部に係合する一対の係合孔６１ｂ，６１ｂおよび一対の係合孔６１ｃ，６１ｃが形成されている。側壁６２，６２は、本体部６１の両端部にそれぞれ立設されている。この場合、スライド部６は、図９に示すように、下ケース１１にスライド可能に嵌め合わされて、図１に示すスプリング８ｃによって下ケース１１の切り欠き部２１ａ側に向けて付勢されている。
【００１８】
フロントカバー７は、図７に示すように、本体部７１、および本体部７１の両端部に形成された支持部７２，７２を備えて構成されている。また、フロントカバー７は、図９に示すように、上ケース１２の側壁３２ｄ，３２ｅに支持部７２，７２が回動可能に取り付けられて、ドライブ装置によって回動させられることにより、本体部７１が上ケース１２の開口部１２ａを開閉する。また、フロントカバー７は、回動させられる際に、支持部７２に形成されている突起部（図示せず）がリールブレーキ４の腕部４２の先端部における突起部（図示せず）に係合して腕部４２を移動させることにより、リールブレーキ４の本体部４１をテープリール２，２に対して接離する方向に沿ってスライドさせる。また、フロントカバー７は、同図に示すように、支持部７２の回転軸７２ｂに取り付けられたスプリング８ｄ（図１も参照）によって開口部１２ａを閉塞する方向（同図に示す矢印Ｂの方向）に向けて付勢されている。この場合、スプリング８ｄは、本発明における第２付勢部材に相当し、トーションスプリング８ｂによってリールブレーキ４に加えられている矢印Ａ（図９参照）の方向への付勢力に抗して、フロントカバー７を矢印Ｂの方向に回動可能にその付勢力が規定されている。このため、フロントカバー７は、非使用時においては、スプリング８ｄの付勢力によってリールブレーキ４の腕部４２を矢印Ｃ（同図参照）の方向に向けて押圧することにより、本体部４１をテープリール２に近接させて突起部４１ａとテープリール２の歯部２ａとが係合する状態にリールブレーキ４を保持する。
【００１９】
次に、情報記録媒体１を用いたデータの記録再生方法について、図面を参照して説明する。
【００２０】
この情報記録媒体１が図外のドライブ装置から取り出されている状態、つまり非使用時においては、図９に示すように、フロントカバー７が、スプリング８ｄによって矢印Ｂの方向に付勢されて、トーションスプリング８ｂによってリールブレーキ４に加えられている矢印Ａの方向への付勢力に抗して、リールブレーキ４の腕部４２を矢印Ｃの方向に押圧している。このため、突起部４１ａとテープリール２の歯部２ａとが係合する状態にリールブレーキ４が保持されて、テープリール２，２の回転が規制されている。また、同図に示すように、スライド部６が、下ケース１１における底板２１の切り欠き部２１ａ側の位置Ｐ１に位置して、底板２１の挿通孔２１ｂ，２１ｂおよび切り欠き部２１ａを閉塞している。この場合、スライド部６は、下ケース１１におけるロック部２１ｃ，２１ｃの先端部が本体部６１の係合孔６１ｂ，６１ｂにそれぞれ係合することにより、スライド不可状態にロックされている。また、この状態では、フロントカバー７が、上ケース１２の開口部１２ａを閉塞している。
【００２１】
一方、情報記録媒体１がドライブ装置の挿入口から装填部に向けて挿入されたときには、装填部が情報記録媒体１を内部に引き込む。この際に、挿入口の近傍に取り付けられた当接部（図示せず）にスライド部６の底面が当接した状態で情報記録媒体１が引き込まれる。このため、図１０に示すように、スライド部６が、スプリング８ｃ（図１参照）による付勢力に抗して下ケース１１の側壁２２ａ側にスライドさせられて、位置Ｐ２に位置する。この状態では、スライド部６の挿通孔６１ａと下ケース１１の挿通孔２１ｂとが連通すると共に、下ケース１１における底板２１の切り欠き部２１ａが開口される。この場合、スライド部６は、下ケース１１におけるロック部２１ｃ，２１ｃの先端部が本体部６１の係合孔６１ｃ，６１ｃにそれぞれ係合することにより、スライド不可状態にロックされている。次に、装填部が、ドライブ装置内の駆動軸の先端部に向けて情報記録媒体１を移動させる。この際に、駆動軸が挿通孔６１ａ，２１ａを通ってテープリール２の中心部に挿入される。
【００２２】
次に、ドライブ装置が、図１０に示すように、スプリング８ｄの付勢力に抗してフロントカバー７を矢印Ｄの方向に回動させることにより、上ケース１２の開口部１２ａが開放される。この際に、フロントカバー７によるリールブレーキ４の腕部４２に対する押圧が解除されて、リールブレーキ４が、トーションスプリング８ｂの付勢力によってテープリール２，２から離間する方向（同図に示す矢印Ａの方向）に沿ってスライドさせられる。このため、テープリール２，２の歯部２ａとリールブレーキ４の突起部４１ａ，４１ａとの係合が解除されて、テープリール２，２の回転規制が解除される。この場合、リールブレーキ４がトーションスプリング８ｂによってテープリール２から離間する方向に付勢されている。このため、例えば、リールブレーキ４の腕部４２が破損していたとしても、フロントカバー７が開口部１２ａを開放する方向にドライブ装置によって回動させられたときに、リールブレーキ４がトーションスプリング８ｂの付勢力によってテープリール２，２から確実に離間する。したがって、テープリール２，２の回転規制が確実に解除される。このため、例えば、重要なデータが記録されている情報記録媒体１に、こような破損が生じたとしても、その重要なデータを確実に読み出すことが可能となる。
【００２３】
次いで、ドライブ装置が磁気テープＴを磁気ヘッドに当接させると共に、テープリール２，２を回転させて、データの読み出しや書き込みを開始する。また、ドライブ装置に配設されているテープエンド検出部が、検出光を照射する。この場合、検出光は、ケース本体３における下ケース１１の窓部２３から入射して、磁気テープＴに照射される。続いて、磁気テープＴが一方のテープリール２に巻き取られて、他方のテープリール２に巻回されていた磁気テープＴがテープエンドとなったときには、検出光が、磁気テープＴの端部に取り付けられているリーダーテープを透過して、ケース本体３内に配設されている図外のプリズムによって光路がＵ字状に変更させられて、ケース本体３における上ケース１２の窓部３４を介してケース本体３の外部に出射する。この際に、テープエンド検出部が検出光を受光し、これに応じて、ドライブ装置がデータの読み出しや書き込みを終了すると共に、テープリール２，２の回転を停止させる。次に、ドライブ装置は、磁気テープＴから磁気ヘッドを離間させる。
【００２４】
次いで、装填部が、駆動軸の先端部から情報記録媒体１を離間させる。続いて、ドライブ装置が、上記した方向とは逆方向にフロントカバー７を回動させることにより、図９に示すように、上ケース１２の開口部１２ａが閉塞される。この際に、フロントカバー７における支持部７２の突起部７２ａが、リールブレーキ４の腕部４２，４２における先端部に係合して、トーションスプリング８ｂの付勢力に抗して腕部４２，４２をテープリール２，２側に移動させる。これに伴い、リールブレーキ４の本体部４１が、テープリール２，２に近接する方向に沿って移動させられる。このため、テープリール２，２の歯部２ａと本体部４１の突起部４１ａ，４１ａとが係合して、テープリール２，２の回転が規制される。次に、装填部が、挿入口の外側に向けて情報記録媒体１を押し出す。この際に、同図に示すように、スライド部６が、位置Ｐ１側にスライドさせられて、下ケース１１における底板２１の切り欠き部２１ａおよび挿通孔２１ｂ，２１ｂが閉塞される。これにより、情報記録媒体１がドライブ装置の挿入口から取り出し可能な状態となる。
【００２５】
このように、この情報記録媒体１によれば、テープリール２から離間する方向にリールブレーキ４を付勢するトーションスプリング８ｂを備えたことにより、例えば、リールブレーキ４の腕部４２が破損していたとしても、フロントカバー７が開口部１２ａを開放する方向にドライブ装置によって回動させられたときに、リールブレーキ４がトーションスプリング８ｂの付勢力によってテープリール２，２から確実に離間して、テープリール２，２の回転規制を確実に解除させることができる。したがって、この情報記録媒体１によれば、例えば、重要なデータが記録された状態でリールブレーキ４の腕部４２が破損していたとしても、その重要なデータを確実に読み出すことができる。
【００２６】
また、この情報記録媒体１によれば、トーションスプリング８ｂの付勢力に抗して開口部１２ａを閉塞する方向にフロントカバー７を付勢するスプリング８ｄを備えたことにより、情報記録媒体１の非使用状態において、フロントカバー７によって開口部１２ａを確実に閉塞させることができる。また、この状態において、スプリング８ｄの付勢力によってリールブレーキ４の本体部４１をテープリール２に近接させて突起部４１ａとテープリール２の歯部２ａとが係合する状態にリールブレーキ４を確実に保持することができるため、テープリール２の回転を確実に規制することができる。
【００２７】
なお、本発明は、上記の構成に限定されない。例えば、図１１に示すように、上記したトーションスプリング８ｂに代えて、トーションスプリング１０８ｂを備えて情報記録媒体１０１を構成することもできる。この場合、トーションスプリング１０８ｂは、本発明における第１付勢部材の他の一例であって、同図に示すように、下ケース１１１における側壁１２２ｆの中央部に形成された支持部１２４がコイル部１８１に挿入されると共に、一端部１８２および他端部１８３がリールブレーキ１０４に形成された係合部１４１ｂ，１４１ｂにそれぞれ係合されることにより、リールブレーキ１０４をテープリール２から離間する方向（同図に示す矢印Ａの方向）に付勢する。この情報記録媒体１０１においても、トーションスプリング１０８ｂがテープリール２から離間する方向にリールブレーキ１０４を付勢するため、情報記録媒体１と同様にして、リールブレーキ１０４の腕部１４２が破損していたとしても、記録されているデータを確実に読み出すことができる。
【００２８】
また、下ケース１１に形成した支持部２４（支持部１２４）でトーションスプリング８ｂ（トーションスプリング１０８ｂ）を支持する例について上記したが、上ケース１２に支持部を設けて、その支持部でトーションスプリング８ｂ（トーションスプリング１０８ｂ）を支持する構成を採用することもできる。また、トーションスプリング８ｂ，１０８ｂの形状は上記の形状に限定されず、任意に規定することができる。また、トーションスプリング８ｂ，１０８ｂを構成する材料としては、金属、樹脂およびゴムなどの任意の材料を用いることができるし、これらを複数種類用いることもできる。
【００２９】
また、電子計算機に記録されたデータのバックアップに用いられる情報記録媒体１を例に挙げて説明したが、画像データの記録に用いられる情報記録媒体や、音声データの記録に用いられる情報記録媒体等の各種の情報記録媒体に本発明を適用することができる。また、２つのテープリール２を備えた情報記録媒体１を例に挙げて説明したが、単一のテープリールを備えた情報記録媒体に本発明を適用することもできる。
【図面の簡単な説明】
【００３０】
【図１】情報記録媒体１の分解斜視図である。
【図２】情報記録媒体１の平面図である。
【図３】下ケース１１の内面側から見た平面図である。
【図４】上ケース１２の内面側から見た平面図である。
【図５】リールブレーキ４の平面図である。
【図６】スライド部６の平面図である。
【図７】フロントカバー７を下ケース１１側から見た底面図である。
【図８】下ケース１１、リールブレーキ４およびトーションスプリング８ｂの平面図である。
【図９】スライド部６が位置Ｐ１に位置しているときの情報記録媒体１の側面図である。
【図１０】スライド部６が位置Ｐ２に位置しているときの情報記録媒体１の側面図である。
【図１１】下ケース１１１、リールブレーキ１０４およびトーションスプリング１０８ｂの平面図である。
【符号の説明】
【００３１】
１，１０１  情報記録媒体
２  テープリール
３  ケース本体
４，１０４  リールブレーキ
７  フロントカバー
８ｂ，１０８ｂ  トーションスプリング
８ｄ  スプリング
１１  下ケース
１２  上ケース
１２ａ  開口部
２１ａ  切り欠き部
Ｔ  磁気テープ
【図１】
2006331465.tif 000003
【図２】
2006331465.tif 000004
【図３】
2006331465.tif 000005
【図４】
2006331465.tif 000006
【図５】
2006331465.tif 000007
【図６】
2006331465.tif 000008
【図７】
2006331465.tif 000009
【図８】
2006331465.tif 000010
【図９】
2006331465.tif 000011
【図１０】
2006331465.tif 000012
【図１１】
2006331465.tif 000013